(57)【要約】【課題】初期雨水を外部に排出させる小径孔の洗浄を容易に行う。【解決手段】流下雨水の濾過装置は、上側鉛直管１１ａと上側鉛直管と同軸の下側鉛直管１１ｂの間に介装されたハウジング１２を有し、上側鉛直管と下側鉛直管の間のハウジングに形成され上側鉛直管を流下する雨水を下側鉛直管に流通させる雨水流通室１３と、雨水流通室に隣接してハウジングに形成され上側鉛直管を初期に流下する初期雨水を流入させるバルブ室１４と、バルブ室に連通してハウジングの下部に設けられ雨水流通室からバルブ室に流入した初期雨水を貯留する収納室１７と、収納室の下部に設けられ収納室に貯留された初期雨水を外部に排出する小径孔３２ａとを備える。収納室の下部に収納室を外部に連通させる筒体３１がその軸心を鉛直にして設けられ、筒体に下方から棒状部材３２が離脱可能に装着され、棒状部材３２に筒体に連通する小径孔３２ａが形成される。【選択図】  図１
2008274708.tif 000002
【特許請求の範囲】
【請求項１】
上側鉛直管(11a)と前記上側鉛直管(11a)と同軸の下側鉛直管(11b)の間に介装されたハウジング(12)を有し、前記上側鉛直管(11a)と前記下側鉛直管(11b)の間のハウジング(12)に形成され前記上側鉛直管(11a)を流下する雨水を前記下側鉛直管(11b)に流通させる雨水流通室(13)と、前記雨水流通室(13)に隣接して前記ハウジング(12)に形成され前記上側鉛直管(11a)を初期に流下する初期雨水を流入させるバルブ室(14)と、前記バルブ室(14)に連通して前記ハウジング(12)の下部に設けられ前記雨水流通室(13)から前記バルブ室(14)に流入した初期雨水を貯留する収納室(17)と、前記収納室(17)の下部に設けられ前記収納室(17)に貯留された初期雨水を外部に排出する小径孔(32a)とを備えた流下雨水の濾過装置において、
前記収納室(17)の下部に前記収納室(17)を外部に連通させる筒体(31)がその軸心を鉛直にして設けられ、
前記筒体(31)に下方から棒状部材(32)が離脱可能に装着され、
前記棒状部材(32)に前記筒体(31)に連通する小径孔(32a)が形成された
ことを特徴とする流下雨水の濾過装置。
【請求項２】
筒体(31)が円筒であって下端縁に下端が開口する縦スリット(31a)が軸方向に形成され、前記縦スリット(31a)の上端に一端が連結する横スリット(31b)が円周方向に形成され、
棒状部材(32)の外形が前記筒体(31)に挿入可能な円形に形成され、前記縦スリット(31a)に侵入可能な突起(32b)が前記棒状部材(32)の外周に形成され、
前記縦スリット(31a)を下端から上方に移動した前記突起(32b)を前記横スリット(31b)に進入させて前記筒体(31)に前記棒状部材(32)を離脱可能に装着する請求項１記載の流下雨水の濾過装置。
【請求項３】
筒体(31)を上方から覆うフィルタ(33)が収納室(17)に離脱可能に取付けられた請求項1又は2記載の流下雨水の濾過装置。
【発明の詳細な説明】
【技術分野】
【０００１】
本発明は、建物の屋根又は屋上に落下して流下する雨水から異物が比較的多く含まれる初期雨水を除去する流下雨水の濾過装置に関するものである。
【背景技術】
【０００２】
従来、建物の屋根又は屋上に落下して流下する雨水には、特にその降雨初期の雨水に砂や微細な塵埃が含まれることが多いことが知られている。このため、この初期雨水を除去してこれを貯留し、砂や微細な塵埃が含まれないようなその後の雨水を有効利用することが行われている。そして砂や塵埃を比較的多く含む初期雨水を除去する流下雨水の濾過装置が提案されている（例えば、特許文献１参照。）。この濾過装置は、建物の屋根又は屋上に降雨した雨水を流下させる上側鉛直管と下側鉛直管の間にハウジングを介装させ、その上側鉛直管と下側鉛直管の間のハウジングに雨水流通室を形成し、その雨水流通室に隣接して上側鉛直管を初期に流下する初期雨水を流入させるバルブ室をハウジングに形成し、そのバルブ室に流入した初期雨水を貯留する収納室をハウジングの下部に設けている。
【０００３】
このような流下雨水の濾過装置では、初期雨水は収納室に貯留され、砂や微細な塵埃が含まれないようなその後の雨水のみが上側鉛直管から下側鉛直管に流下して有効利用することができるようになっている。そして、この従来の濾過装置では、収納室の下部に小径孔を形成し、この小径孔を介して収納室に貯留された初期雨水を外部に排出するようにしている。このように、小径孔を収納室の下部に設けることにより、収納室に流入して貯留された初期雨水はその小径孔から徐々に外部に排出され、雨が止んだ後にまで収容室に雨水が貯留されるような事態を回避し、その後に降る雨の初期雨水をこの収納室に確実に貯留するようにしている。
【特許文献１】特開２００６−１４４５０４号公報（特許請求の範囲、図１）
【発明の開示】
【発明が解決しようとする課題】
【０００４】
しかし、上述した従来の濾過装置では、砂や微細な塵埃が比較的多く含まれる初期雨水を貯留する収納室の下部に小径孔を形成するので、その収納室に貯留された初期雨水を外部に排出する小径孔が砂や微細な塵埃により塞がれてしまう不具合があった。このため、その小径孔が塞がれないようにその小径孔の上部を覆うように網目状のフィルタを設けるとともに、定期的にその小径孔を掃除していたが、従来の小径孔は収納室の下部を構成する底板に直接小径孔を形成していたため、その掃除自体が比較的煩雑である不具合があった。
本発明の目的は、収納室に貯留された初期雨水を外部に排出させる小径孔の洗浄が比較的容易な流下雨水の濾過装置を提供することにある。
【課題を解決するための手段】
【０００５】
請求項１に係る発明は、図１に示すように、上側鉛直管１１ａと上側鉛直管１１ａと同軸の下側鉛直管１１ｂの間に介装されたハウジング１２を有し、上側鉛直管１１ａと下側鉛直管１１ｂの間のハウジング１２に形成され上側鉛直管１１ａを流下する雨水を下側鉛直管１１ｂに流通させる雨水流通室１３と、雨水流通室１３に隣接してハウジング１２に形成され上側鉛直管１１ａを初期に流下する初期雨水を流入させるバルブ室１４と、バルブ室１４に連通してハウジング１２の下部に設けられ雨水流通室１３からバルブ室１４に流入した初期雨水を貯留する収納室１７と、収納室１７の下部に設けられ収納室１７に貯留された初期雨水を外部に排出する小径孔３２ａとを備えた流下雨水の濾過装置の改良である。
その特徴ある構成は、収納室１７の下部に収納室１７を外部に連通させる筒体３１がその軸心を鉛直にして設けられ、筒体３１に下方から棒状部材３２が離脱可能に装着され、棒状部材３２に筒体３１に連通する小径孔３２ａが形成されたところにある。
【０００６】
この請求項１に記載された流下雨水の濾過装置では、雨が降り始めた際の初期雨水は比較的多くの塵埃が含まれているけれども、この塵埃が比較的多く含まれる初期雨水は雨水流通室１３からバルブ室１４を介して収納室１７に流下してその収納室１７に貯留される。収納室１７の下部に形成された小径孔３２ａは収納室１７に貯留された初期雨水を徐々に排出し、雨が止んだ後にまで収容室１７に雨水が貯留されるような事態を回避する。
一方、小径孔３２ａの掃除に際しては、筒体３１から棒状部材３２を取外して行う。この場合、棒状部材３２は筒体３１に下方から取付けられているので、収納室１７の外部から棒状部材３２を取外すことができる。そして、その取外した棒状部材３２を洗浄することによりその棒状部材３２に形成された小径孔３２ａの詰まりを解消させることができる。よって、小径孔の洗浄を従来より比較的容易に行うことが可能となる。
【０００７】
請求項２に係る発明は、請求項１に係る発明であって、図２に示すように、筒体３１が円筒であって下端縁に下端が開口する縦スリット３１ａが軸方向に形成され、縦スリット３１ａの上端に一端が連結する横スリット３１ｂが円周方向に形成され、棒状部材３２の外形が筒体３１に挿入可能な円形に形成され、縦スリット３１ａに侵入可能な突起３２ｂが棒状部材３２の外周に形成され、縦スリット３１ａを下端から上方に移動した突起３２ｂを横スリット３１ｂに進入させて筒体３１に棒状部材３２を離脱可能に装着することを特徴とする。
この請求項２に記載された流下雨水の濾過装置では、図２に破線矢印で示すように、棒状部材３２をその中心軸を回転中心として回転させて、その周囲に形成された突起３２ｂを横スリット３１ｂに沿って移動させて縦スリット３１ａの上端に位置させ、その状態で軸方向に引き抜くことによりその棒状部材３２を筒体３１から取外すことができる。このためその取外し作業を更に容易にすることができる。
【０００８】
請求項３に係る発明は、請求項１又は２に係る発明であって、筒体３１を上方から覆うフィルタ３３が収納室１７に離脱可能に取付けられたことを特徴とする。
この請求項３に記載された流下雨水の濾過装置では、収納室１７に流入した初期雨水に混入する異物をフィルタ３３により捕獲するので、小径孔３２ａが砂や微細な塵埃により塞がれてしまう頻度を減少させることができる。
一方、このフィルタ３３は収納室１７に離脱可能に取付けるので、フィルタ３３に比較的多くの異物が堆積した場合には、このフィルタ３３を収納室１７から取出して洗浄することができる。
【発明の効果】
【０００９】
本発明の流下雨水の濾過装置では、収納室の下部に収納室を外部に連通させる筒体をその軸心を鉛直にして設け、筒体に下方から棒状部材を離脱可能に装着し、その棒状部材に筒体に連通する小径孔を形成したので、小径孔の掃除に際しては、筒体から棒状部材を取外して行うことができる。この場合、棒状部材は筒体に下方から取付けられているので、収納室の外部から棒状部材を取外すことができ、その取外した棒状部材を洗浄することによりその棒状部材に形成された小径孔の詰まりを解消させることができる。よって、小径孔の洗浄を従来より比較的容易に行うことが可能となる。
【００１０】
また、筒体が円筒であって下端縁に下端が開口する縦スリットを軸方向に形成し、縦スリットの上端に一端が連結する横スリットを円周方向に形成し、棒状部材の外形が筒体に挿入可能な円形に形成し、縦スリットに侵入可能な突起を棒状部材の外周に形成し、縦スリットを下端から上方に移動した突起を横スリットに進入させて筒体に棒状部材を装着すれば、棒状部材をその中心軸を回転中心として回転させて突起を横スリットに沿って移動させて縦スリットの上端に位置させ、その状態で軸方向に引き抜くことによりその棒状部材を筒体から取外すことができる。そして、筒体を上方から覆うフィルタを収納室に離脱可能に取付ければ、収納室に流入した初期雨水に混入する異物をフィルタにより捕獲するので、小径孔が砂や微細な塵埃により塞がれてしまう頻度を減少させることができる。
【発明を実施するための最良の形態】
【００１１】
次に本発明を実施するための最良の形態を図面に基づいて説明する。
図１に示すように、本発明の流下雨水の濾過装置１０は、上側鉛直管１１ａの下部と下側鉛直管１１ｂの上部が上下方向から取付けられたハウジング１２を備える。図示しないが、上側鉛直管１１ａは家屋の屋根の縁に設けられた雨樋に上端が接続された筒状物であり、家屋の屋根に落ちた雨が雨樋に流入して集められ、集められた雨水は雨樋から上側鉛直管１１ａに流下するように構成される。そして、ハウジング１２は上方から見た場合に長径が鉛直管１１ａ，１１ｂの外径の略２倍であって短径が鉛直管１１ａ，１１ｂの外径より僅かに大きな長円形状を有する大きさに形成され、樹脂成型品からなる上蓋１２ａと下蓋１２ｂの周囲を嵌着することにより作られる。
【００１２】
ハウジング１２の一方の端の上部には上側鉛直管１１ａの下部が挿入される上短管１２ｃが設けられ、その上短管１２ｃに対向するハウジング１２の一方の端の下部には下側鉛直管１１ｂの上部が嵌入する下短管１２ｄが設けられる。この上短管１２ｃに上側鉛直管１１ａの下部を挿入し下短管１２ｄに下側鉛直管１１ｂの上部を嵌入させることによりそれらがハウジング１２に上下方向から取付けられる。そして、ハウジング１２の内部には上側鉛直管１１ａと下側鉛直管１１ｂの間に介装される雨水流通室１３とその雨水流通室１３に隣接するバルブ室１４が形成される。
【００１３】
雨水流通室１３の上部には、その雨水流通室１３を上側鉛直管１１ａに連通させて上側鉛直管１１ａを流下する雨水を雨水流通室１３に流入させる上側雨水孔１３ａが形成される。一方、雨水流通室１３の下部には、その雨水流通室１３を下側鉛直管１１ｂに連通させて雨水流通室１３に流入した雨水を下側鉛直管１１ｂに流下させる下側雨水孔１３ｂが形成される。下側雨水孔１３ｂの内周縁にはリング状の突起１５が上方に突出して形成され、この突起１５の上縁に第１ストレーナ１６の周縁が設置されてその第１ストレーナ１６が下側雨水孔１３ｂに取外し可能に取付けられる。この実施の形態における第１ストレーナ１６は金網を有底円筒状に成形したものであって、有底円筒状のストレーナ１６の外径はリング状の突起１５の内径よりわずかに小さくなるように形成され、ストレーナ１６の開口部周縁には突起１５の上端に設置可能なフランジ１６ａが形成される。このストレーナ１６では、そのフランジ１６ａを突起１５に設置して、有底筒部を下側雨水孔１３ｂに挿入することにより、下側雨水孔１３ｂに取外し可能に取付けられる。
【００１４】
一方、ハウジング１２の他方の端の下部には下短管１２ｄに隣接して他短管１２ｅが設けられる。この他短管１２ｅには内部が収納室１７を形成する有底筒状の収納ケース１７ａが下方から嵌着されて、その収納ケース１７ａがハウジング１２の下部に設けられる。バルブ室１４の下部にはこのバルブ室１４を収納室１７に連通させて雨水流通室１３からバルブ室１４に至った雨水を収納室１７に更に流下させてその収納室１７に貯留させる流入孔１４ａが形成される。
【００１５】
ハウジング１２には、雨水流通室１３とバルブ室１４との間を移動可能なボール弁１８が収納される。このボール弁１８は比重が１未満のボールからなる弁であって、そのボール弁１８により塞がれてバルブ室１４を密閉可能な弁座用開口部１４ｂが収納室１７に対向するハウジング１２の上部にバルブ室１４を開放するように形成される。弁座用開口部１４ｂの縁にはパッキン１９が嵌着され、ボール弁１８は雨水流通室１３内の雨水が所定量以上である場合にバルブ室１４内を浮上してパッキン１９に当接し、これによりボール弁１８は弁座用開口部１４ｂを塞いでそのバルブ室１４を密閉するように構成される。そして、弁座用開口部１４ｂは第１ストレーナ１６が挿通可能な大きさに形成され、ハウジング１２の上面にはこの弁座用開口部１４ｂを覆うように蓋体１２ｆが取外し可能に設置され、蓋体には作業員が把持するつまみ部１２ｇが形成される。
【００１６】
また、雨水流通室１３には、この雨水流通室１３で上昇するボール弁１８をその雨水流通室１３からバルブ室１４に案内する上側案内部材２１が設けられ、バルブ室１４には、このバルブ室１４で下降するボール弁１８をそのバルブ室１４から雨水流通室１３に案内する下側案内部材２２が設けられる。上側案内部材２１は、雨水流入室１３の上部にその雨水流入室１３を横断してバルブ室１４に向かって上方になるように傾斜する板材である。一方、下側案内部材２２は、バルブ室１４の下部にそのバルブ室１４を横断して雨水流入室１３に向かって下方になるように傾斜する板材であって、折畳み可能に構成される。この下側案内板２２は、伸長状態でバルブ室１４で下降するボール弁１８をバルブ室１４から雨水流通室１３に案内し、折畳み状態でバルブ室１４と収納室１７間のボール弁１８の移動を許容するように構成される。
【００１７】
収納室１７はボール弁１８を収容可能に構成され、バルブ室１４から収納室１７に流入する雨水を濾過する有底筒状の第２ストレーナ２３が収納室１７に取外し可能に取付けられる。この第２ストレーナ２３は弁座用開口部１４ｂを挿通可能に形成される。この実施の形態では、収納室１７を上下に仕切る水平の平板２４が設けられ、この平板２４に形成された中央孔２４ａに第２ストレーナ２３が取外し可能に取付けられる。この第２ストレーナ２３は金網を有底円筒状に成形したものであって、その外径は中央孔２４ａの内径よりわずかに小さくなるように形成され、第２ストレーナ２３の開口部周縁には中央孔２４ａの孔縁に設置可能なフランジ２３ａが形成される。この第２ストレーナ２３では、有底筒部を中央孔２４ａに挿入してそのフランジ２３ａを中央孔２４ａの孔縁に設置することにより、その収納室１７に取外し可能に取付けられる。
【００１８】
収納室１７の底部にはこの収納室１７に流入した雨水を排出する排水バルブ２８が設けられる。この排水バルブ２８は、ハンドル２８ａの操作により断面直径が８〜１５ｍｍの大径孔２８ｄを開閉可能に構成され、その大径孔２８ｄを開放させることにより貯留室１７に貯留された雨水をこの大径孔２８ｄを介して比較的速やかに外部に排出させるように構成される。
また、収納室１７の底部にはこの排水バルブ２８とともに、収納室１７に流入した雨水を僅かながら排出させる小径孔３２ａが設けられる。即ち、収納室１７の下部にこの収納室１７を外部に連通させる筒体３１がその軸心を鉛直にして設けられる。そして、この筒体３１に下方から棒状部材３２が離脱可能に装着され、この棒状部材３２に筒体３１に連通する小径孔３２ａが形成される。
【００１９】
図２に詳しく示すように、収納室１７を構成するケース１７ａには、その底部に断面が円形の短管１７ｂが形成される。筒体３１は断面が円形の大径部３１ｃと、その大径部３１ｃと同軸に小径部３１ｄがその大径部３１ｃに連続して形成される。大径部３１ｃはその外径が短管１７ｂの外径と同一に作られ、小径部３１ｄはその短管１７ｂの内径より僅かに小さな外径に形成される。そして、その小径部３１ｄを短管１７ｂに下方から挿入して大径部３１ｃの上縁を短管１７ｂ下縁に当接させ、その状態で筒体３１を短管１７ｂに接着剤を用いて接着する。これにより、収納室１７の下部に収納室１７を外部に連通させる筒体３１がその軸心を鉛直にして設けられる。そして、円筒である大径部３１ｃには、その下端縁に下端が開口する縦スリット３１ａが軸方向に形成され、その縦スリット３１ａの上端に一端が連結する横スリット３１ｂが円周方向に形成される。
【００２０】
一方、棒状部材３２は、その外形が筒体３１の大径部３１ｃに挿入可能な円形の外径を有する挿入筒部３２ｃと、その挿入筒部３２ｃと同軸に把持部３２ｄがその挿入筒部３２ｃに連続して形成される。この棒状部材３２の挿入筒部３２ｃの外周には、縦スリット３１ａに侵入可能な突起３２ｂが形成される。そして、縦スリット３１ａを下端から上方に移動した突起３２ｂを横スリット３１ｂに進入させることにより、筒体３１に棒状部材３２３２を離脱可能に装着するようになっている。また把持部３２ｄは、図３に示すように、外径が円形であって、その円形の両側を切り取ったような外形に成形され、この把持部３２ｄを両側から挟んで回転させることによりこの棒状部材３２を回転させる作業を包囲にするようにしている。そして、挿入筒部３２ｃと把持部３２ｄの連結部分に小径孔３２ａが形成される。
【００２１】
小径孔３２ａは棒状部材３２の中心軸に沿って軸方向に形成され、その小径孔３２ａは断面円形であって、その直径が０．８〜２．０ｍｍの孔である。この小径孔３２ａは、収納室１７に流入して貯留された初期雨水を徐々に外部に排出し、雨が止んだ後にこの収納室１７を空にし、雨が止んだ後まで収容室１７に雨水が貯留されるような事態を回避するためのものである。このため、この濾過装置１０では、この小径孔３２ａの存在により、一旦雨が止んだ後に再び雨が降った場合における初期雨水を収納室１７に確実に貯留させることができるように構成される。
【００２２】
また、収納室１７には、筒体３１を上方から覆うフィルタ３３が収納室１７に離脱可能に取付けられる。即ち、小径孔３２ａは比較的詰まりやすいので、その詰まりを防止するために、小径孔３２ａを有する棒状部材３２が取付けられた筒体３１をフィルタ３３により覆うものである。この実施の形態におけるフィルタ３３は、その筒体３１と同軸に設けられ周囲に複数の孔３４ａが形成された有孔筒３４と、全ての孔３４ａとともに有孔筒３４の上部を覆う網３６からなる。収納室１７を構成するケース１７ａの底部には有孔筒３４の下部周囲を包囲してその設置箇所を確定する位置決め突起１７ｄが形成される。そして、この位置決め突起１７ｄにより包囲された部分に有孔筒３４の下端を設置することによりこのフィルタ３３は収納室１７に離脱可能に取付けられる。
【００２３】
次にこのように構成された流下雨水の濾過装置の動作を説明する。
雨が図示しない家屋の屋根に降ると、雨はその屋根の傾斜に沿って流れて雨樋に流入して集められる。集められた雨水は雨樋から上側鉛直管１１ａを流下して濾過装置１０に達する。雨が降り始めの濾過装置１０では、ボール弁１８が雨水流通室１３にあって下側雨水孔１３ｂを閉塞する。従って、上側鉛直管１１ａから雨水流入室１３に雨水が流入し、雨が降り始めた際の初期雨水はリング状の突起１５の周面により受けられ、バルブ室１４に導かれて更に収納室１７に流下する。よって、雨が降り始めた際の初期雨水は比較的多くの塵埃が含まれているけれども、この塵埃が比較的多く含まれる初期雨水が雨水流通室１３から下側雨水孔１３ｂを介して下側鉛直管１１ｂに流下することを確実に防止することができる。ここで、初期雨水に含まれる比較的多くの塵埃は、収納室１７に設けられた第２ストレーナ２３に補足され、濾過された雨水が収納室１７の底部に至り、この収納室１７に貯留される。
【００２４】
雨が降り続いて雨水流入管１２の内部を流下する雨水の量が収納室１７に形成された小径孔３２ａから外部に排出される量を超えて増加すると、収納室１７を越えて雨水流入室１３及びバルブ室１４に雨水が溜まり始め、その水位がリング状の突起１５の上端を越えると比重１未満のボール弁１８は浮上し、その後上側鉛直管１１ａから流下する比較的塵埃の少ないきれいな雨水が雨水流通室１３からその下側雨水孔１３ｂを介して下側鉛直管１１ｂに流入する。ここで、下側雨水孔１３ｂにはその下側雨水孔１３ｂを塞ぐように第１ストレーナ１６が取付けられているので、下側雨水孔１３ｂを介して下側鉛直管１１ｂに流入する雨水から、このストレーナ１６により混入する異物が除去される。
【００２５】
一方、収納室１７の下部に形成された小径孔３２ａは収納室１７に貯留された初期雨水を徐々に排出し、雨が止んだ後にまで収容室１７に雨水が貯留されるような事態を回避する。そして、小径孔３２ａが砂や微細な塵埃により塞がれてしまった場合には、その小径孔３２ａを掃除する。この小径孔３２ａの掃除に際しては、筒体３１から棒状部材３２を取外して行う。この場合、棒状部材３２は筒体３１に下方から取付けられているので、収納室１７の外部から棒状部材３２を取外すことができる。そして、その取外した棒状部材３２を洗浄することによりその棒状部材３２に形成された小径孔３２ａの詰まりを解消させることができる。よって、小径孔の洗浄を従来より比較的容易に行うことが可能となる。
【００２６】
ここで、筒体３１に縦スリット３１ａと横スリット３１ｂを形成し、縦スリット３１ａに侵入可能な突起３２ｂを棒状部材３２の外周に形成し、縦スリット３１ａを下端から上方に移動した突起３２ｂを横スリット３１ｂに進入させて筒体３１に棒状部材３２を離脱可能に装着したので、図２に破線矢印で示すように、棒状部材３２をその中心軸を回転中心として回転させて、その周囲に形成された突起３２ｂを横スリット３１ｂに沿って移動させて縦スリット３１ａの上端に位置させ、その状態で軸方向に引き抜くことによりその棒状部材３２を筒体３１から取外すことができる。このためその取外し作業が容易であり、その洗浄作業を更に容易にすることができる。そして、その小径孔３２ａの掃除が雨の降った直後であって、収納室１７に雨水が残存している場合には、排水バルブ２８のハンドル２８ａを回転操作して大径孔２８ｄを開放させれば、収納室１７内部の雨水が速やかに外部に排出されるので、雨水を非出させた後に行うことができる。
【００２７】
また、筒体３１を上方から覆うフィルタ３３は、収納室１７に流入した初期雨水に混入する異物を捕獲し、小径孔３２ａが砂や微細な塵埃により塞がれてしまう頻度を減少させる。そして、このフィルタ３３は収納室１７に離脱可能に取付けるので、フィルタ３３に比較的多くの異物が堆積した場合には、このフィルタ３３を収納室１７から取出して洗浄する。また、この濾過装置１０の第１及び第２ストレーナ１６，２３にも異物が堆積する。このため、これらのストレーナ１６，２３にあっても所定期間毎に取出して洗浄する必要がある。これらのフィルタ３３やストレーナ１６，２３の取出しに際しては、蓋体１２ｆを取外して弁座用開口部１４ｂを出現させる。すると、ボール弁１８は雨水流通室１３にあって下側通水孔１３ｂを塞いでいるので弁座用開口部１４ｂは開放されている。このため、この弁座用開口部１４ｂを介して下側案内部材２２を折り畳み、弁座用開口部１４ｂを介してフィルタ３３及び第２ストレーナ２３を収納室１７から取出すことができる。また、下側案内部材２２を折り畳んで下側通水孔１３ｂを塞いでいるボール弁１８を収納室１７に落とし込みめば、弁座用開口部１４ｂを介して第１ストレーナ１６を雨水流通室１３から取出すことができる。このため、第１及び第２ストレーナ１６，２３のハウジング１２からの取り出しが容易であり、その点検及び清掃を比較的容易に行うことができる。
【図面の簡単な説明】
【００２８】
【図１】本発明実施形態の濾過装置の構造を示す縦断面図である。
【図２】図１のＡ部の拡大図である。
【図３】その棒状部材の下面図である。
【符号の説明】
【００２９】
１０  濾過装置
１１ａ  上側鉛直管
１１ｂ  下側鉛直管
１２  ハウジング
１３  雨水流通室
１４  バルブ室
１７  収納室
３１  筒体
３１ａ  縦スリット
３１ｂ  横スリット
３２  棒状部材
３２ａ  小径孔
３２ｂ  突起
３３  フィルタ
【図１】
2008274708.tif 000003
【図２】
2008274708.tif 000004
【図３】
2008274708.tif 000005